(57)【要約】      （修正有）【課題】鉄筋コンクリート製側溝蓋の排水性が良く、歩行者や自転車等に対して安全であり、蓋同士を継ぎ合わせた場合に、側溝本体長手方向の傾きが発生しにくく、また側溝蓋に重量が加えられた場合に、当該蓋同士が擦り合わされて端面が欠けることをなくした側溝用蓋を提供する。【解決手段】側溝本体に設置してその開口を覆う蓋４であって、蓋には、側溝本体長手方向Ｚの端面であり且つ他の蓋との継ぎ合わせ端面の一端面に凸部１と、表面に滑り止め３と、を設け、凸部は、端面の両側端部近傍に各々一つ配置し、端面の両側端部の概中央部から側溝本体中央部に向かう傾斜面を有することを特徴とする。【選択図】図１
0003195559.tif 000002
【実用新案登録請求の範囲】
【請求項１】
側溝本体に設置してその開口を覆う蓋であって、当該蓋には、前記側溝本体長手方向の端面であり且つ他の蓋との継ぎ合わせ端面の一端面に凸部と、表面に滑り止めと、を設け、前記凸部は、前記端面の両側端部近傍に各々一つ配置し、前記端面の両側端部の概中央部から前記側溝本体中央部に向かう傾斜面を有することを特徴とする側溝用蓋。
【請求項２】
前記側溝本体には、前記側溝本体長手方向に沿って、前記蓋を保持する蓋かかり部が形成され、前記凸部一片の底辺部の長さと前記側溝本体の蓋かかり部の長さとを概一致させることを特徴とする、請求項１に記載の側溝用蓋。
【考案の詳細な説明】
【技術分野】
【０００１】  本考案は道路等に設置する排水機能及び滑り止め機能を付加した側溝用蓋に関するものである。
【背景技術】
【０００２】  従来の側溝用蓋については、側溝蓋の長手方向の両端部端面、つまり連結相手である他の側溝蓋との継ぎ合わせ端面にそれぞれ凹部が設けられ、他の側溝体に設けた凹部と突き合わせて合体させることにより、半割形状の１つの排水孔が貫通孔として形成されるようになっている。この２つの凹部の合体で形成される排水孔から道路上の雨水や雪水を側溝本体の内部に流して排水したり、また側溝本体の溝内に沈殿や滞留した汚泥，ゴミなど清掃するものがある（特許文献１）。【０００３】  また、側溝蓋版の上面形状を皿形状や略Ｖ形状、あるいは片傾斜形状やＬ型形状、もしくはフラット形状とし、蓋版の中央部に縦方向あるは横方向に１〜数個の逆Ｖの漏斗形状としたスリット孔を設け、あるいはスリット孔に連通してなる浅い集水溝を配置し、該蓋版側面に幅方向や長さ方向の位置規整用の凸部を形成して構成するものがある（特許文献２）。【０００４】  さらに、側溝の上方開口に被せる蓋本体の側面に長手方向に向かって下り勾配に設けられるスリット部と該スリット部の斜面部の下端から内方の幅方向に連設される断面先窄まりの導入溝部とより成る集水溝を蓋本体の側面から裏面にわたり形成した（特許文献３）。
【先行技術文献】
【特許文献】
【０００５】
【特許文献１】特開２００１−４９７２８号公報
【特許文献２】特開２００２−２３５３６５号公報
【特許文献３】実用新案登録第３０７１１７９号公報
【考案の概要】
【考案が解決しようとする課題】
【０００６】  前述の従来技術（特許文献１）においては、側溝蓋の長手方向の両端部端面とを直接接触させて継ぎ合わせるために、当該側溝蓋に重量が加えられた場合に、当該蓋同士が擦り合わされて端面が欠けることがある。また、側溝蓋の長手方向の両端部端面にそれぞれ凹部を設けているため、当該凹部に物等を落としてしまう怖れがあった。【０００７】  また、前述の従来技術（特許文献２）においては、蓋版側面に幅方向や長さ方向の位置規整用の凸部を形成しているために、当該凸部間の隙間からも排水され、この隙間にゴミなどが詰まってしまうということがあった。【０００８】  さらに、前述の従来技術（特許文献３）においては、側溝の上方開口に被せる蓋本体の側面に長手方向に向かって下り勾配に設けられるスリット部と該スリット部の斜面部の下端から内方の幅方向に連設される断面先窄まりの導入溝部とより成るために、排水が２段の構造によってなされる為、構造が複雑となり、ゴミなどが詰まった場合に、処理しにくいということがある。
【課題を解決するための手段】
【０００９】  本考案の実施態様１に係わる側溝用蓋は、側溝本体に設置してその開口を覆う蓋であって、当該蓋には、前記側溝本体長手方向の端面であり且つ他の蓋との継ぎ合わせ端面の一端面に凸部と、表面に滑り止めと、を設け、前記凸部は、前記端面の両側端部近傍に各々一つ配置し、前記端面の両側端部の概中央部から前記側溝本体中央部に向かう傾斜面を有するものである。【００１０】  本考案の実施態様２に係わる側溝用蓋は、実施態様１において、側溝本体には、側溝本体長手方向に沿って、蓋を保持する蓋かかり部が形成され、凸部一片の底辺部の長さと側溝本体の蓋かかり部の長さとを概一致させるものである。
【考案の効果】
【００１１】  以上、本考案の実施態様１によって、側溝本体長手方向の端面であり且つ他の蓋との継ぎ合わせ端面の一端面に凸部を設け、当該凸部は、端面の両側端部近傍に各々一つ配置するために、当該蓋同士を継ぎ合わせた場合に、側溝本体長手方向のずれを発生させることがなくなる。【００１２】  また、端面の両側端部近傍に各々一つ配置した凸部は、端面の両側端部の概中央部から側溝本体中央部に向かう所定傾斜面を有する。これにより、凸部が端面の両側端部の概中央部から構成するために、当該凸部が欠けた場合に、蓋の表面まで欠けてしまうということがなくなる。【００１３】  さらに、端面の両側端部から側溝本体中央部に向かう傾斜面を構成することにより、排水を容易に行うことができるとともに、ゴミが詰まった場合でも簡単にごみをとることができる。【００１４】  一方、蓋の表面に滑り止めを設けるために、雨、雪等で、蓋の表面が濡れている場合にも、歩行者や自転車等の転倒を軽減することができる。【００１５】  次に、本考案の実施態様２によって、凸部一片の底辺部の長さと側溝本体の蓋かかり部の長さとを概一致させるために、排水される雨水などは、蓋かかり部を経由せずに、直接側溝本体中央部に落下するため、排水効果をあげることができる。
【図面の簡単な説明】
【００１６】
【図１】本考案における側溝全体を示す平面図
【図２】本考案における側溝用蓋の一実施例を示す図
【図３】本考案における側溝本体と側溝用蓋とを示す図
【考案を実施するための形態】
【００１７】  以下、図面に従って本考案の実施の形態の具体例を説明する。
【００１８】  図１、図２及び図３において、本考案の側溝用蓋は、側溝本体８に設置してその開口を覆う蓋４であって、当該蓋４には、側溝本体長手方向Ｚ（図１に示す通り）の端面であり且つ他の蓋４との継ぎ合わせ端面の一端面に凸部１と、表面に滑り止め３と、を設け、凸部１は、端面１０の両側端部９近傍に各々一つ配置し、端面１０の両側端部９の概中央部から側溝本体中央部７に向かう傾斜面２を有するものである。
【００１９】  これにより、側溝本体長手方向Ｚの端面１０であり且つ他の蓋４との継ぎ合わせ端面１０の一端面１０に凸部１を設け、当該凸部１は、端面１０の両側端部９近傍に各々一つ配置するために、当該蓋４同士を継ぎ合わせた場合に、側溝本体長手方向Ｚのずれを発生させることがなくなる。
【００２０】  また、端面１０の両側端部９近傍に各々一つ配置した凸部１は、端面１０の両側端部９の概中央部から側溝本体中央部７に向かう所定傾斜面２を有する。これにより、凸部１が端面１０の両側端部９の概中央部から構成するために、当該凸部１が欠けた場合に、蓋の表面５まで欠けてしまうということがなくなる。
【００２１】  さらに、端面１０の両側端部９から側溝本体中央部７に向かう傾斜面２を構成することにより、排水を容易に行うことができるとともに、ゴミが詰まった場合でも簡単にごみをとることができる。
【００２２】  一方、蓋の表面５に滑り止め３を設けるために、雨、雪等で、蓋の表面５が濡れている場合にも、歩行者や自転車等の転倒を軽減することができる。
【００２３】  次に、本考案に係わる側溝用蓋は、側溝本体８に、側溝本体長手方向（図１に示す通り）に沿って、蓋４を保持する蓋かかり部６が形成され、凸部１一片の底辺部１１の長さと側溝本体８の蓋かかり部６の長さとを概一致させるものである。
【００２４】  これによって、凸部１一片の底辺部１１の長さと側溝本体８の蓋かかり部６の長さとを概一致させるために、排水される雨水などは、蓋かかり部６を経由せずに、直接側溝本体中央部７に落下するため、排水効果をあげることができる。
【符号の説明】
【００２５】  １  凸部
２  傾斜面
３  すべり止め
４  蓋
５  蓋の表面
６  蓋かかり部
７  側溝本体中央部
８  側溝本体
９  両側端部
１０  端面
１１  底辺部
【図１】
0003195559.tif 000003
【図２】
0003195559.tif 000004
【図３】
0003195559.tif 000005